(57)【要約】【課題】  縦枠と側面上枠または側面下枠との間のずれの発生を抑制することができ、気密性及び止水性の向上が図れる出窓を提供する。【解決手段】  縦枠２と方立３の間に側面上枠４と側面下枠５を掛け渡して通しボルト１８で締結してなる側面枠６を有する出窓１であって、前記縦枠２には通しボルト１８の軸部１８ａを通す孔部１９が形成され、前記側面上枠４及び側面下枠５には通しボルト１８の軸部１８ａを通すガイドホール２０が形成されており、前記通しボルト１８の軸部１８ａにおける前記孔部１９とガイドホール２０とに跨る部分には前記軸部１８ａよりも太い拡大軸部１８ｄが形成されている。【選択図】          図４
2005076295.tif 000002
【特許請求の範囲】
【請求項１】
縦枠と方立の間に側面上枠と側面下枠を掛け渡して通しボルトで締結してなる側面枠を有する出窓であって、前記縦枠には通しボルトの軸部を通す孔部が形成され、前記側面上枠及び側面下枠には通しボルトの軸部を通すガイドホールが形成されており、前記通しボルトの軸部における前記孔部とガイドホールとに跨る部分には前記軸部よりも太い拡大軸部が形成されていることを特徴とする出窓。
【発明の詳細な説明】
【技術分野】
【０００１】
本発明は、出窓に係り、特に縦枠と方立を側面上枠及び側面下枠を介して通しボルトで締結する構造を改良した出窓に関するものである。
【背景技術】
【０００２】
出窓としては、例えば特許第２８８９１３９号公報、特開２００３−１０６０５３号公報に記載されているものが知られている。この出窓は、縦枠、方立、側面上枠及び側面下枠からなる側面枠を有し、左右の側面枠の方立間に正面上枠と正面下枠を掛け渡してその枠体が形成されている。前記側面枠は、縦枠と方立の間に側面上枠と側面下枠を掛け渡して通しボルトで締結して組み立てられている。前記縦枠には通しボルトの軸部を通す孔部が形成され、前記側面上枠及び側面下枠には通しボルトの軸部を通すガイドホールが形成されている。
【０００３】
【特許文献１】特開平３−６９１２０号公報
【０００４】
【特許文献２】特開２００３−１０６０５３号公報
【発明の開示】
【発明が解決しようとする課題】
【０００５】
しかしながら、前記出窓においては、前記孔部及びガイドホールが通しボルトの軸部の径よりも大きく形成されており、孔部と軸部との間の隙間及びガイドホールと軸部との間の隙間により縦枠と側面上枠または側面下枠との間にずれが生じる場合があり、このずれにより気密性や止水性が損なわれるという問題がある。
【０００６】
本発明は、上記事情を考慮してなされたものであり、縦枠と側面上枠または側面下枠との間のずれの発生を抑制することができ、気密性及び止水性の向上が図れる出窓を提供することを目的とする。
【課題を解決するための手段】
【０００７】
本発明は、縦枠と方立の間に側面上枠と側面下枠を掛け渡して通しボルトで締結してなる側面枠を有する出窓であって、前記縦枠には通しボルトの軸部を通す孔部が形成され、前記側面上枠及び側面下枠には通しボルトの軸部を通すガイドホールが形成されており、前記通しボルトの軸部における前記孔部とガイドホールとに跨る部分には前記軸部よりも太い拡大軸部が形成されていることを特徴とする。
【発明の効果】
【０００８】
本発明によれば、縦枠と方立の間に側面上枠と側面下枠を掛け渡して通しボルトで締結してなる側面枠を有する出窓であって、前記縦枠には通しボルトの軸部を通す孔部が形成され、前記側面上枠及び側面下枠には通しボルトの軸部を通すガイドホールが形成されており、前記通しボルトの軸部における前記孔部とガイドホールとに跨る部分には前記軸部よりも太い拡大軸部が形成されているため、縦枠と側面上枠または側面下枠との間のずれの発生を抑制することができ、気密性及び止水性の向上が図れる。
【発明を実施するための最良の形態】
【０００９】
以下に、本発明を実施するための最良の形態について、添付図面を基に詳述する。図１は本発明の実施の形態である出窓を概略的に示す斜視図、図２は同出窓の一部省略横断面図、図３は同出窓の袖部の縦断面図、図４は要部を説明するための図、図５は通しボルトの側面図である。
【００１０】
これらの図において、１は出窓で、この出窓１は、縦枠２、方立３、側面上枠４及び側面下枠５からなる側面枠６を有し、左右の側面枠６の方立３間に正面上枠７と正面下枠８を掛け渡してその枠体９が形成されている。この枠体９の正面部には例えば引違い窓１０が設けられ、側面部（袖部）には例えば嵌め殺し窓１１が設けられる。前記枠体９を構成する縦枠２等の枠材は、例えばアルミ形材からなっている。また、縦枠２及び方立３は、ホロー材（中空材）からなっている。左右の縦枠２は建物の躯体の柱に３０に固着具例えばネジ３１で固定される。
【００１１】
前記枠体９の左右の縦枠２の下端部間には躯体の窓台に当接されて固定される水切り材（図示省略）が掛け渡されており、この水切り材と正面下枠８との間には補強ブラケット（図示省略）が掛け渡されて設けられている。正面下枠８及び側面下枠５で区画される部分にはテーブル板１２が室内側から取付けられていると共に、このテーブル板１２の下方に断熱材１３を介して表面材（カバー材）１４が取付けられている。左右の縦枠２の上端部間には天板見切り縁（図示省略）が掛け渡されており、この天上見切り縁、正面上枠７及び側面上枠４で区画される部分に天板１５が取付けられると共に、この天板１５の上方に断熱材１６を有する屋根１７が取付けられている。
【００１２】
前記側面枠６は、図４に示すように縦枠２と方立３の間に側面上枠４と側面下枠５を掛け渡して通しボルト１８で締結して組み立てられている。前記縦枠２には通しボルト１８の軸部１８ａを通す孔部１９が形成され、前記側面上枠４及び側面下枠５には通しボルト１８の軸部１８ａを通すガイドホール２０が長手方向に沿って形成されている。具体的には、縦枠２と方立３の対向面２ａ，３ａには前記通しボルト１８の軸部１８ａを挿通する孔部１９，２１が形成されている。前記縦枠２内（対向面２ａの裏面）には、前記孔部１９と対応し、通しボルト１８の軸部１８ａを通す孔部２２を有する裏板２３が取付けられて補強されている。方立３内（対向面３ａの裏面）には、前記孔部２１と対応し、通しボルト１８の雄ねじ部１８ｂを螺合する雌ねじ孔２４を有する裏板２５が取付けられて補強されている。
【００１３】
前記通しボルト１８は、図５に示すように軸部１８ａの基端部に頭部１８ｃを有し、軸部１８ａの先端側に雄ねじ部１８ｂを有している。この雄ねじ部１８ｂの外径は軸部１８ａの外径（例えば４.４ｍｍ程度）よりも若干大きく例えば５ｍｍ程度に形成されている。前記縦枠２の孔部１９及び方立３の孔部２１の内径並びに前記側面上枠４及び側面下枠５のガイドホール２０は、雄ねじ部１８ｂを挿通し易いようにそれぞれ雄ねじ部１８ｂの外径よりも若干大きい内径例えば５.５ｍｍ程度に形成されている。
【００１４】
そして、縦枠２の孔部１９の内径と通しボルト１８の軸部１８ａの外径との差による隙間、及び側面上枠４または側面下枠５のガイドホール２０の内径と通しボルト１８の軸部１８ａの外径との差による隙間に起因して縦枠２と側面上枠４または側面下枠５との間に発生するずれを抑制するために、前記通しボルト１８の軸部１８ａにおける前記孔部１９とガイドホール２０とに跨る部分（頭部１８ｃの基端から５ｍｍ程度の範囲）には前記軸部１８ａよりも太い（例えば５.２ｍｍ程度）拡大軸部１８ｄが形成されている。
【００１５】
この拡大軸部１８ｄは、例えば軸部１８ａの頭部１８ｃ側を軸方向から叩いて拡径させる鍛造工法により形成されている。前記拡大軸部１８ｄと軸部１８ａの間には通しボルト１８の軸部１８ａの挿通を円滑にするためのテーパー１８ｅが形成されている。なお、方立３の孔部２１と側面上枠４または側面下枠５のガイドホール２０とには、通しボルト１８の外径の大きい雄ねじ部１８ｂが跨って位置されるため、方立３と側面上枠４または側面下枠５との間のずれを抑制することができる。
【００１６】
以上の構成からなる出窓１によれば、縦枠２と方立３の間に側面上枠４と側面下枠５を掛け渡して通しボルト１８で締結してなる側面枠６を有する出窓１であって、前記縦枠２には通しボルト１８の軸部１８ａを通す孔部１９が形成され、前記側面上枠４及び側面下枠５には通しボルト１８の軸部１８ａを通すガイドホール２０が形成されており、前記通しボルト１８の軸部１８ａにおける前記孔部１９とガイドホール２０とに跨る部分には前記軸部１８ａよりも太い拡大軸部１８ｄが形成されているため、縦枠２と側面上枠４または側面下枠５との間のずれの発生を抑制することができ、気密性及び止水性の向上が図れる。
【００１７】
すなわち、拡大軸部１８ｄが縦枠２の孔部１９に嵌合して径方向の動きが拘束され、且つ拡大軸部１８ｄが側面上枠４または側面下枠５のガイドホール２０に嵌合して径方向の動きが拘束されることにより、縦枠２と側面上枠４または側面下枠５との相対的変位（ずれ）を抑制ないし防止することができる。これにより組み立て精度の向上、気密性及び止水性等の性能の向上が図れる。
【００１８】
本発明の実施の形態ないし実施例を図面により詳述してきたが、本発明は前記実施の形態ないし実施例に限定されるものではなく、本発明の要旨を逸脱しない範囲での種々の設計変更等が可能である。例えば、出窓の枠体の正面部は嵌め殺し窓であっても良く、側面部（袖部）は開き窓であっても良い。また、出窓としては、平面台形状のものに限定されず、例えば平面弓形状のもの等であっても良い。
【図面の簡単な説明】
【００１９】
【図１】本発明の実施の形態である出窓を概略的に示す斜視図である。
【図２】同出窓の一部省略横断面図である。
【図３】同出窓の袖部の縦断面図である。
【図４】要部を説明するための図である。
【図５】通しボルトの側面図である。
【符号の説明】
【００２０】
１  出窓
２  縦枠
３  方立
４  側面上枠
５  側面下枠
６  側面枠
１８  通しボルト
１８ａ  軸部
１８ｄ  拡大軸部
１９  孔部
２０  ガイドホール
【図１】
2005076295.tif 000003
【図２】
2005076295.tif 000004
【図３】
2005076295.tif 000005
【図４】
2005076295.tif 000006
【図５】
2005076295.tif 000007